(57)【特許請求の範囲】
【請求項１】
可動装飾体と、
前記可動装飾体に内蔵されて当該可動装飾体を発光させる発光体と、
を備える遊技機の演出装置において、
前記可動装飾体は、
光透過部を有する構成体を相対移動可能に複数連結することで伸縮可能に構成され、
前記発光体は、
前記可動装飾体の伸縮方向に沿って所定間隔で配列された複数の発光源を備え、
前記複数の発光源は、
前記可動装飾体の伸縮方向での一位置にて、対応する前記構成体の光透過部にそれぞれ対向する配列間隔となっていることを特徴とする、
遊技機の演出装置。
【発明の詳細な説明】
【技術分野】
【０００１】
本発明は、遊技機の演出装置の技術に関する。
【背景技術】
【０００２】
従来、発光可能に構成された可動装飾体を具備し、前記可動装飾体を用いて演出を行う遊技機の演出装置の技術は公知となっている。例えば、特許文献１から３に記載の如くである。
【０００３】
特許文献１に記載の技術において、遊技機の演出装置は、透光性を有する部材により形成された可動装飾体（可動演出部材）と、発光源（電気的発光部材）を備えた発光体と、を具備する。そして、発光体が可動装飾体の裏面に固定されて、前記可動装飾体が前記発光体により発光可能に構成される。このような構成によって、遊技機の演出装置は、可動装飾体が動いた場合であっても、前記可動装飾体と発光体との位置関係が変化せず、前記可動装飾体を効率的に発光させて演出を行うことができる。
【０００４】
特許文献２に記載の技術において、遊技機の演出装置（可変演出装置）は、光を透過する光透過部を備えた可動装飾体（可変演出手段）と、前記可動装飾体の光透過部の裏面側に配置された発光体と、を具備する。そして、可動装飾体は、発光体により光透過部を介して発光可能に構成される。なお、発光体は、可動装飾体が可動範囲内のいずれの位置であっても光透過部を介して発光可能となる位置に配置される。このような構成によって、遊技機の演出装置は、可動装飾体が動いた場合であっても、前記可動装飾体を発光させて演出を行うことができる。
【０００５】
特許文献３に記載の技術において、遊技機の演出装置は、光を透過する光透過部（透光部）を備えた可動装飾体（可動部材）と、複数の発光源（発光手段）を備えて前記可動装飾体の裏面側に配置された発光体と、前記複数の発光源を発光制御する発光制御手段と、を具備する。そして、発光制御手段によって可動装飾体の動きに同期して発光体の複数の発光源が発光制御され、前記可動装飾体が光透過部を介して発光可能に構成される。このような構成によって、遊技機の演出装置は、可動装飾体をその動きに同期して発光させて演出を行うことができる。
【先行技術文献】
【特許文献】
【０００６】
【特許文献１】特開２００４−２６１４２６号公報
【特許文献２】特開２００４−８５３８号公報
【特許文献３】特開２００４−２４２８７６号公報
【発明の概要】
【発明が解決しようとする課題】
【０００７】
本発明が解決しようとする課題は、発光可能に構成された可動装飾体を用いて従来の演出装置では実現し得なかった演出を行うことによって、遊技者に新鮮な印象を与えることができる遊技機の演出装置を提供するものである。
【課題を解決するための手段】
【０００８】
本発明の解決しようとする課題は以上の如くであり、次にこの課題を解決するための手段を説明する。
【０００９】
即ち、請求項１においては、可動装飾体と、前記可動装飾体に内蔵されて当該可動装飾体を発光させる発光体と、を備える遊技機の演出装置において、前記可動装飾体は、光透過部を有する構成体を相対移動可能に複数連結することで伸縮可能に構成され、前記発光体は、前記可動装飾体の伸縮方向に沿って所定間隔で配列された複数の発光源を備え、前記複数の発光源は、前記可動装飾体の伸縮方向での一位置にて、対応する前記構成体の光透過部にそれぞれ対向する配列間隔となっていることを特徴とするものである。
【発明の効果】
【００１０】
本発明の効果として、以下に示すような効果を奏する。
【００１１】
請求項１においては、発光可能に構成された可動装飾体を用いて、遊技者に新鮮な印象を与えることができる。
【図面の簡単な説明】
【００１２】
【図１】本発明の一実施形態に係る遊技機の全体的な構成を示した正面図。
【図２】同じく、遊技機の窓枠が開放された状態を示した前方斜視図。
【図３】同じく、遊技盤を示した正面図。
【図４】同じく、遊技板を示した正面図。
【図５】本発明の一実施形態に係る演出装置の前方斜視図。
【図６】同じく後方斜視図。
【図７】同じく圧縮状態を示す正面図。
【図８】同じく背面図。
【図９】同じく正面断面図。
【図１０】（ａ）圧縮状態から伸張状態に切り換わる様子を示す背面概略図。（ｂ）同じく背面概略図。
【図１１】（ａ）圧縮状態から伸張状態に切り換わる様子を示す背面概略図。（ｂ）同じく背面概略図。
【図１２】本発明の一実施形態に係る演出装置の伸張状態を示す正面図。
【図１３】同じく背面図。
【図１４】同じく正面断面図。
【図１５】（ａ）圧縮状態における発光の様子を示す正面図。（ｂ）伸張状態における発光の様子を示す正面図。
【図１６】本発明の変形例に係る演出装置の圧縮状態を示す背面図。
【図１７】同じく伸張状態を示す背面図。
【発明を実施するための形態】
【００１３】
まず、本発明に係る演出装置の一実施形態である演出装置１００を備える遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１４】
遊技機１は、図１から図３が示すように、主として、外枠２と、中枠３と、窓枠４と、により構成される枠体に、各種の遊技部品が取り付けられて形成される。
【００１５】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１６】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１７】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１８】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１９】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００２０】
次に、遊技盤６の構成について、図３及び図４を用いてさらに詳細に説明する。
【００２１】
遊技盤６は、図３及び図４に示すように、遊技板１０と、ガイドレール１１と、センター役物１２と、図柄表示装置１３と、可変入賞装置１４と、大入賞装置１５と、アウト口１６と、演出装置１００等により構成される。
【００２２】
遊技板１０は、四隅が適宜に切り欠けられた略平板状に形成される部材である。遊技板１０には、遊技盤６を構成する各種の遊技部品が取り付けられる。遊技板１０は、アクリル樹脂やポリカーボネート（ＰＣ）等の透過性を有する部材によって形成される。
遊技板１０には、センター挿通孔２１、始動入賞挿通孔２２、大入賞挿通孔２３、アウト口孔２４等の複数の孔が、遊技板１０を前後方向に貫通して形成される。センター挿通孔２１は、遊技板１０の中央から上部に渡って配置される。また、始動入賞挿通孔２２は、遊技板１０の中央下部であってセンター挿通孔２１の下方に配置される。また、大入賞挿通孔２３は、遊技板１０の右部であってセンター挿通孔２１の下方に配置される。また、アウト口孔２４は、遊技板１０の中央下部であって始動入賞挿通孔２２の下方に配置される。
【００２３】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２４】
センター役物１２は、その外観により遊技板１０を装飾する部材である。センター役物１２は正面視で略環状であって、その中央にセンター開口部２７が前後方向に貫通して形成される。センター役物１２は、遊技板１０のセンター挿通孔２１に前方から挿入され、ボルト等によって取り付けられる。
【００２５】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２６】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の中央下部であって図柄表示装置１３の下方に配置される。可変入賞装置１４は、遊技板１０の始動入賞挿通孔２２に前方から挿入され、ボルト等によって取り付けられる。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２７】
大入賞装置１５は、所定の大当たり抽選により大当たりが選択されると、大入賞口１５ａを開放して遊技球が入球（入賞）可能に構成される装置である。大入賞装置１５は、遊技領域２５の右部であって図柄表示装置１３の下方に配置される。大入賞装置１５は、遊技板１０の大入賞挿通孔２３に前方から挿入され、ボルト等によって取り付けられる。なお、大入賞装置１５は、開放した大入賞口１５ａに遊技球が入球すると図示せぬ賞球払出装置によって所定数の遊技球（賞球）が払い出されるように構成される。
【００２８】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。アウト口１６は、遊技板１０のアウト口孔２４を用いて形成される。なお、アウト口１６に流入した遊技球は、遊技機１が設置されたパチンコホール等の遊技場側に回収される。
【００２９】
次に、演出装置１００の構成について詳細に説明する。
【００３０】
図５から図９までに示す演出装置１００は、変形及び発光することにより、遊技者に視覚的な印象（インパクト）を与え、その遊技者の興趣を高めるものである。図４に示すように、演出装置１００は、液晶画面２６の右側方であって、前後方向においてセンター役物１２と液晶画面２６との間、すなわちセンター役物１２よりも後方であって液晶画面２６よりも前方に配置される。演出装置１００の大部分は正面視において遊技板１０と重複することになるが、当該遊技板１０は透過性を有するため、演出装置１００は正面の遊技者から当該遊技板１０を透して視認可能となる。演出装置１００は、主として、可動装飾体１１０と、発光体１２０と、ラックギヤ１３０と、ピニオンギヤ１４０と、モータ１５０と、により構成される。
なお、説明の便宜上、図５及び図６においては、ラックギヤ１３０、ピニオンギヤ１４０及びモータ１５０の図示を省略している。
【００３１】
図５から図９までに示す可動装飾体１１０は、上下方向に伸縮するポンプを模した構造体である。可動装飾体１１０は、主として、構成体１１１Ａと、構成体１１１Ｂと、構成体１１１Ｃと、構成体１１１Ｄと、により構成される。
【００３２】
構成体１１１Ａは、２つの円錐台形状の部材の底面同士を固定し、その軸線から後の部分を切断したような形状の部材である。構成体１１１Ａの軸線（円錐台の軸線）は上下方向を向くように配置される。したがって、構成体１１１Ａは、上下端部から上下方向略中央部に向かって拡径するように構成され、当該構成体１１１Ａは正面視において上下方向に向かってそれぞれ尖った形状となる。構成体１１１Ａの内部は空洞となるように構成され、当該構成体１１１Ａは後方に向かって開放された箱状の部材となる。構成体１１１Ａには、光透過部１１１ｅと、下部開口部１１１ｆと、上部係合部１１１ｇと、が形成される。
【００３３】
光透過部１１１ｅは、構成体１１１Ａの直径が最も大きくなる部分（上下方向略中央部分）の外周全域に形成される。光透過部１１１ｅは、光透過性の部材により形成され、構成体１１１Ａの内部から外部に向かって光を透過させることができる。
【００３４】
下部開口部１１１ｆは、構成体１１１Ａの下端部の軸線付近を半円形状に切り欠いて形成される。
【００３５】
上部係合部１１１ｇは、構成体１１１Ａの上端部から上方に突出するように形成される円筒状の部分である。また、上部係合部１１１ｇの上端部は、その他の部分より直径が大きい鍔状となるように形成される。上部係合部１１１ｇの上端部（鍔状の部分）の直径は、下部開口部１１１ｆの直径よりも大きくなるように構成される。
【００３６】
構成体１１１Ｂ、構成体１１１Ｃ及び構成体１１１Ｄの形状は、上述の構成体１１１Ａと同一であるため、対応する各部には構成体１１１Ａと同様の符号を付し、説明を省略する。
【００３７】
構成体１１１Ｂは構成体１１１Ａの下方に配置され、構成体１１１Ｂの上部係合部１１１ｇは構成体１１１Ａの下部開口部１１１ｆに挿通される。
構成体１１１Ｃは構成体１１１Ｂの下方に配置され、構成体１１１Ｃの上部係合部１１１ｇは構成体１１１Ｂの下部開口部１１１ｆに挿通される。
構成体１１１Ｄは構成体１１１Ｃの下方に配置され、構成体１１１Ｄの上部係合部１１１ｇは構成体１１１Ｃの下部開口部１１１ｆに挿通される。
このようにして、構成体１１１Ａ、構成体１１１Ｂ、構成体１１１Ｃ及び構成体１１１Ｄは上下方向に相対移動可能となるように順に連結される。
【００３８】
図５から図９までに示す状態（構成体１１１Ａが最も下方に位置している状態）においては、構成体１１１Ａの拡径部の下端と構成体１１１Ｂの拡径部の上端とが当接し、構成体１１１Ｂの拡径部の下端と構成体１１１Ｃの拡径部の上端とが当接し、構成体１１１Ｃの拡径部の下端と構成体１１１Ｄの拡径部の上端とが当接している。したがって、可動装飾体１１０の上下方向長さは最も短い状態となる。以下、この状態を単に「圧縮状態」と記す。圧縮状態における可動装飾体１１０は、ポンプが圧縮されて流体を圧送している様子を模している。
【００３９】
発光体１２０は、可動装飾体１１０に内蔵されて当該可動装飾体１１０を発光させるものである。発光体１２０は、主として、基板１２１と、発光ダイオード（以下、単に「ＬＥＤ」と記す）１２２・１２２・・・と、により構成される。
【００４０】
基板１２１は、矩形板状の部材である。基板１２１は、その板面が前後方向を向くように、かつ長手方向が上下方向を向くように配置される。基板１２１は、可動装飾体１１０の内部に配置される。より詳細には、基板１２１は、構成体１１１Ａ、構成体１１１Ｂ、構成体１１１Ｃ及び構成体１１１Ｄの軸線上に配置され、当該構成体１１１Ａ、構成体１１１Ｂ、構成体１１１Ｃ及び構成体１１１Ｄの各下部開口部１１１ｆ・１１１ｆ・・・及び各上部係合部１１１ｇ・１１１ｇ・・・を挿通するように配置される。
【００４１】
発光源としてのＬＥＤ１２２・１２２・・・は、基板１２１の前面に配置される。ＬＥＤ１２２・１２２・・・は、上下方向に沿って互いに一定の間隔をおくようにして４つ設けられる。ＬＥＤ１２２・１２２・・・は、図５から図９までに示す圧縮状態の可動装飾体１１０の光透過部１１１ｅ・１１１ｅ・・・とそれぞれ同じ高さになるように配置される。すなわち、ＬＥＤ１２２・１２２・・・は、圧縮状態の可動装飾体１１０の光透過部１１１ｅ・１１１ｅ・・・とそれぞれ対向するような間隔で配列されている。
【００４２】
ラックギヤ１３０は、長手方向を上下方向に向けて配置される。ラックギヤ１３０は、可動装飾体１１０の構成体１１１Ａの後側面上端部に固定される。
【００４３】
ピニオンギヤ１４０は、ラックギヤ１３０と噛合される。
【００４４】
モータ１５０は、ピニオンギヤ１４０を回転させる駆動源である。モータ１５０の出力軸は、ピニオンギヤ１４０に固定される。
【００４５】
次に、図１０及び図１１を用いて、上述の如く構成された演出装置１００の可動装飾体１１０の動作態様について説明する。
なお、説明の便宜上、図１０及び図１１においては、発光体１２０、ラックギヤ１３０、ピニオンギヤ１４０及びモータ１５０の図示を省略している。
【００４６】
モータ１５０を駆動させ、ピニオンギヤ１４０を正面視（図７等）時計回りに回転させると、当該ピニオンギヤ１４０と噛合しているラックギヤ１３０が上方に持ち上げられる。ラックギヤ１３０が上方に持ち上げられると、当該ラックギヤ１３０に固定されている可動装飾体１１０の構成体１１１Ａも上方に持ち上げられる。
【００４７】
構成体１１１Ａが持ち上げられると、最初は当該構成体１１１Ａのみが上方に持ち上げられていく（図１０（ａ）参照）。
【００４８】
さらに構成体１１１Ａが持ち上げられると、当該構成体１１１Ａの下部開口部１１１ｆに構成体１１１Ｂの上部係合部１１１ｇが係合する。このため、構成体１１１Ａとともに構成体１１１Ｂも上方に持ち上げられる（図１０（ｂ）参照）。
【００４９】
さらに構成体１１１Ａが持ち上げられると、構成体１１１Ｂの下部開口部１１１ｆに構成体１１１Ｃの上部係合部１１１ｇが係合する。このため、構成体１１１Ａ及び構成体１１１Ｂとともに構成体１１１Ｃも上方に持ち上げられる（図１１（ａ）参照）。
【００５０】
さらに構成体１１１Ａが持ち上げられると、構成体１１１Ｃの下部開口部１１１ｆに構成体１１１Ｄの上部係合部１１１ｇが係合する（図１１（ｂ）参照）。この状態になるまで構成体１１１Ａを上方に持ち上げることで、可動装飾体１１０の上下方向長さは最も長い状態となる。以下、この状態を単に「伸張状態」と記す。伸張状態における可動装飾体１１０は、ポンプが伸張されて流体を吸引している様子を模している。
【００５１】
また、この状態からピニオンギヤ１４０を正面視（図７等）反時計回りに回転させると、上記説明とは逆に構成体１１１Ａを下方に降下させ、可動装飾体１１０を圧縮状態（図５から図９まで参照）に戻すことができる。
【００５２】
次に、図１２から図１４までを用いて、伸張状態における演出装置１００について説明する。
【００５３】
伸張状態の演出装置１００においては、位置が固定されているＬＥＤ１２２・１２２・・・に対して、可動装飾体１１０の光透過部１１１ｅ・１１１ｅ・・・（より詳細には、構成体１１１Ａ、構成体１１１Ｂ及び構成体１１１Ｃの光透過部１１１ｅ・１１１ｅ・・・）の位置が上方に移動している。このため、最も下に配置されたＬＥＤ１２２と構成体１１１Ｄの光透過部１１１ｅは対向したままであるが、その他のＬＥＤ１２２・１２２・・・と光透過部１１１ｅ・１１１ｅ・・・は対向していない。
【００５４】
また、この際、ＬＥＤ１２２・１２２・・・が、圧縮状態において対向していた光透過部１１１ｅ・１１１ｅ・・・と異なる光透過部１１１ｅ・１１１ｅと対向しないように、当該ＬＥＤ１２２・１２２・・・の配列間隔及び光透過部１１１ｅ・１１１ｅ・・・の間隔が設定されている。
【００５５】
次に、図１５を用いて、ＬＥＤ１２２・１２２・・・を点灯させた状態で、可動装飾体１１０を圧縮状態又は伸張状態に交互に切り換えた場合の演出装置１００の様子について説明する。
【００５６】
図１５（ａ）に示す圧縮状態においては、ＬＥＤ１２２・１２２・・・と光透過部１１１ｅ・１１１ｅ・・・とがそれぞれ対向している。このため、ＬＥＤ１２２・１２２・・・から照射された光の多くは、直接光透過部１１１ｅ・１１１ｅ・・・を介して前方、すなわち遊技者側に向かって照射される。
【００５７】
したがって、圧縮状態において演出装置１００は、可動装飾体１１０全体を強く発光させることができ、遊技者にポンプが圧縮された際の力強い印象を与える演出を行うことができる。
【００５８】
図１５（ｂ）に示す伸張状態においては、最も下に配置されたＬＥＤ１２２を除いて、ＬＥＤ１２２・１２２・・・と光透過部１１１ｅ・１１１ｅ・・・とがそれぞれ対向していない。このため、ＬＥＤ１２２・１２２・・・から照射された光の多くは、直接光透過部１１１ｅ・１１１ｅ・・・を介して前方に照射されることはなく、可動装飾体１１０の内壁面等に反射した間接光が光透過部１１１ｅ・１１１ｅ・・・を介して前方に照射されることになる。
【００５９】
したがって、伸張状態において演出装置１００は、可動装飾体１１０全体を強く発光させることができず（すなわち、弱く発光させることができ）、遊技者に前述の圧縮状態とは異なる印象を与える演出を行うことができる。
【００６０】
上述の如く、演出装置１００は、当該演出装置１００の圧縮状態と伸張状態とを交互に切り換えることによって、ポンプが伸張されて流体を吸引し、その後当該ポンプが圧縮されて吸引した流体を力強く圧送する様子を模した演出を行うことができる。
【００６１】
以上の如く、本実施形態に係る遊技機１の演出装置１００は、
可動装飾体１１０と、
可動装飾体１１０に内蔵されて当該可動装飾体１１０を発光させる発光体１２０と、
を備える遊技機１の演出装置１００において、
可動装飾体１１０は、
光透過部１１１ｅ・１１１ｅ・・・を有する構成体１１１Ａ、構成体１１１Ｂ、構成体１１１Ｃ及び構成体１１１Ｄを相対移動可能に複数連結することで伸縮可能に構成され、
発光体１２０は、
可動装飾体１１０の伸縮方向に沿って所定間隔で配列された複数のＬＥＤ１２２・１２２・・・（発光源）を備え、
複数のＬＥＤ１２２・１２２・・・は、
可動装飾体１１０の伸縮方向での圧縮状態（一位置）にて、対応する構成体１１１Ａ、構成体１１１Ｂ、構成体１１１Ｃ及び構成体１１１Ｄの光透過部１１１ｅ・１１１ｅ・・・にそれぞれ対向する配列間隔となっていることを特徴とするものである。
【００６２】
このように構成することにより、遊技機１の演出装置１００は、発光可能に構成された可動装飾体１１０を用いて従来の演出装置では実現し得なかった演出を行うことによって、遊技者に新鮮な印象を与えることができる。
【００６３】
なお、本実施形態においては、発光源としてＬＥＤ１２２を用いるものとしたが、本発明はこれに限らず、光を発生することができるものであれば良い。
また、本実施形態においては、ＬＥＤ１２２・１２２・・・と光透過部１１１ｅ・１１１ｅ・・・とは圧縮状態においてそれぞれ対向するものとしたが、本発明はこれに限るものではなく、伸張状態や、圧縮状態と伸張状態とが切り換わる途中の状態においてそれぞれ対向する構成とすることも可能である。
また、本実施形態においては、可動装飾体１１０を伸縮させる駆動機構として、ラックギヤ１３０、ピニオンギヤ１４０及びモータ１５０を用いたが、当該駆動機構はこれに限るものではなく、可動装飾体１１０を伸縮させることができる機構であれば良い。
【００６４】
また、本実施形態においては、可動装飾体１１０は、それぞれ別部材である構成体１１１Ａ、構成体１１１Ｂ、構成体１１１Ｃ及び構成体１１１Ｄにより構成されるものとしたが、本発明はこれに限るものではない。すなわち、図１６及び図１７に示すように、構成体１１１Ａ、構成体１１１Ｂ、構成体１１１Ｃ及び構成体１１１Ｄをゴム等の弾性変形可能な材料で一体的に構成することも可能である。
この場合、図１６に示す圧縮状態から図１７に示す伸張状態に切り換えると、構成体１１１Ａ、構成体１１１Ｂ、構成体１１１Ｃ及び構成体１１１Ｄが上下方向に弾性変形し、可動装飾体１１０が上下方向に伸張することができる。また、当該可動装飾体１１０は弾性変形可能な材料で形成されているため、伸張状態から圧縮状態に戻すことも可能である。
【符号の説明】
【００６５】
１：遊技機，１００：演出装置，１１０：可動装飾体，１１１Ａ：構成体，１１１Ｂ：構成体，１１１Ｃ：構成体，１１１Ｄ：構成体，１１１ｅ：光透過部，１２０：発光体，１２２：ＬＥＤ
【図１】
0005477331.tif 000002
【図２】
0005477331.tif 000003
【図３】
0005477331.tif 000004
【図４】
0005477331.tif 000005
【図５】
0005477331.tif 000006
【図６】
0005477331.tif 000007
【図７】
0005477331.tif 000008
【図８】
0005477331.tif 000009
【図９】
0005477331.tif 000010
【図１０】
0005477331.tif 000011
【図１１】
0005477331.tif 000012
【図１２】
0005477331.tif 000013
【図１３】
0005477331.tif 000014
【図１４】
0005477331.tif 000015
【図１５】
0005477331.tif 000016
【図１６】
0005477331.tif 000017
【図１７】
0005477331.tif 000018